(57)【要約】【課題】  受信バンドの切替に伴う信号ロスを少なくする。【解決手段】  第１の周波数帯の信号を通過する第１の高周波回路１１と、第２の周波数帯の信号を通過する第２の高周波回路１２と、第１の高周波回路１１及び第２の高周波回路１２の後段に設けられた第３の高周波回路１４とを備え、第３の高周波回路１４を、平衡入力端子を有する平衡回路で構成し、第１の高周波回路１１を平衡入力端子の一方１３ａに結合すると共に、第２の高周波回路１２を平衡入力端子の他方１３ｂに結合し、第１の高周波回路１１から出力される第１の周波数帯の信号を第３の高周波回路１４に入力するときに平衡入力端子の他方１３ｂを接地し、第２の高周波回路１２から出力される第２の周波数帯の信号を第３の高周波回路１４に入力するときに平衡入力端子の一方１３ｂを接地した。【選択図】        図１
2006060567.tif 000002
【特許請求の範囲】
【請求項１】
第１の周波数帯の信号を通過する第１の高周波回路と、第２の周波数帯の信号を通過する第２の高周波回路と、前記第１の高周波回路及び前記第２の高周波回路の後段に設けられた第３の高周波回路を備え、前記第３の高周波回路を、平衡入力端子を有する平衡回路で構成し、前記第１の高周波回路を前記平衡入力端子の一方に結合すると共に、前記第２の高周波回路を前記平衡入力端子の他方に結合し、前記第１の高周波回路から出力される前記第１の周波数帯の信号を前記第３の高周波回路に入力するときに前記平衡入力端子の他方を接地し、前記第２の高周波回路から出力される前記第２の周波数帯の信号を前記第３の高周波回路に入力するときに前記平衡入力端子の一方を接地したことを特徴とする受信バンド切替回路。
【請求項２】
エミッタが接地され、コレクタが前記平衡入力端子の一方に接続された第１のスイッチトランジスタと、エミッタが接地され、コレクタが前記平衡入力端子の他方に接続された第２のスイッチトランジスタを設け、前記第１のスイッチトランジスタのコレクタを第１の抵抗を介して電源にプルアップすると共に、前記第２のスイッチトランジスタのコレクタを第２の抵抗を介して前記電源にプルアップしたことを特徴とする請求項１に記載の受信バンド切替回路。
【請求項３】
前記第３の高周波回路を周波数変換用のミキサとし、前記第１の高周波回路はＶＨＦ帯のローバンドのテレビジョン信号を増幅するローバンド増幅器とその次段に設けられたローバンド同調回路とを有し、前記第２の高周波回路はＶＨＦ帯のハイバンドのテレビジョン信号を増幅するハイバンド増幅器とその次段に設けられたハイバンド同調回路とを有することを特徴とする請求項１又は２に記載の受信バンド切替回路。
【請求項４】
前記ローバンド同調回路を結合用の第１のバラクタダイオードを介して前記平衡入力端子の一方に接続すると共に、前記ハイバンド同調回路を結合用の第２のバラクタダイオードを介して前記平衡入力端子の他方に接続し、前記第１のバラクタダイオードのアノード及び第２のバラクタダイオードのアノードをそれぞれ前記平衡入力端子側に配置し、前記平衡入力端子間を第３の抵抗によって接続し、ローバンド同調回路及び前記ハイバンド同調回路にはそれぞれ同調電圧が印加され同調用バラクタダイオードが設けられ、前記第１及び第２のバラクタダイオードのカソードに前記同調電圧を印加したことを特徴とする請求項３に記載の受信バンド切替回路。
【請求項５】
前記ミキサを内部に構成すると共に前記平衡入力端子を有する集積回路を設け、前記集積回路内に前記第１及び第２のスイッチトランジスタと前記第１乃至第３の抵抗とを構成したことを特徴とする受信バンド切替回路。
【発明の詳細な説明】
【技術分野】
【０００１】
本発明は、テレビジョンチューナ等に適用して好適な受信バンド切替回路に関する。
【背景技術】
【０００２】
図２に従来の受信バンド切替回路を示す。テレビジョン信号とＦＭ放送信号とを受信するアンテナ（ＡＮＴ）とフロントエンドとの間にＦＭ用ＢＰＦ（バンドパスフィルタ）１とＴＶ用ＢＰＦ２が設けられ、ＦＭ用ＢＰＦ１はダイオードＤ１によってアンテナに接続されると共に、ダイオードＤ２によってフロントエンドに接続される。ＴＶ用ＢＰＦ２はダイオードＤ３によってアンテナに接続されると共に、ダイオードＤ４によってフロントエンドに接続される。
【０００３】
ダイオードＤ１とＤ３のカソード同士はアンテナに接続されと共に、抵抗Ｒ２によってグランドに接続される。ダイオードＤ２とＤ４のカソード同士もフロントエンドに接続されると共に、抵抗Ｒ４によってグランドに接続される。ダイオードＤ１、Ｄ２のアノードはそれぞれ抵抗Ｒ１、Ｒ３によって切替スイッチ３のＦＭ端子に接続され、ダイオードＤ３、Ｄ４のアノードはそれぞれスイッチ３のＴＶ端子に接続される。
【０００４】
そして、ＦＭ端子又はＴＶ端子に電圧（＋Ｂ）が印加されることで、ダイオードＤ３、Ｄ４又はＤ１、Ｄ２が導通し、ＦＭ用ＢＰＦ又はＴＶ用ＢＰＦが切り替えられ、フロントエンドにはＦＭ放送信号又はテレビジョン信号が切り替えられて入力される（例えば、特許文献１参照。）。
【０００５】
【特許文献１】実開昭６３−６４１３８号公報（図２）
【発明の開示】
【発明が解決しようとする課題】
【０００６】
ダイオードＤ１〜Ｄ４を導通させるための抵抗Ｒ２、Ｒ３はそれぞれアンテナとフロントエンドに並列に接続されているが、これらはダイオードＤ１〜Ｄ４に電流を流すために抵抗値を大きくすることができないので、これらの抵抗によって信号のロスが大きくなる欠点があった。
【０００７】
本発明は、受信バンドの切替に伴う信号ロスを少なくすることを目的とする。
【課題を解決するための手段】
【０００８】
上記課題を解決するため、第１の周波数帯の信号を通過する第１の高周波回路と、第２の周波数帯の信号を通過する第２の高周波回路と、前記第１の高周波回路及び前記第２の高周波回路の後段に設けられた第３の高周波回路を備え、前記第３の高周波回路を、平衡入力端子を有する平衡回路で構成し、前記第１の高周波回路を前記平衡入力端子の一方に結合すると共に、前記第２の高周波回路を前記平衡入力端子の他方に結合し、前記第１の高周波回路から出力される前記第１の周波数帯の信号を前記第３の高周波回路に入力するときに前記平衡入力端子の他方を接地し、前記第２の高周波回路から出力される前記第２の周波数帯の信号を前記第３の高周波回路に入力するときに前記平衡入力端子の一方を接地した。
【０００９】
また、エミッタが接地され、コレクタが前記平衡入力端子の一方に接続された第１のスイッチトランジスタと、エミッタが接地され、コレクタが前記平衡入力端子の他方に接続された第２のスイッチトランジスタを設け、前記第１のスイッチトランジスタのコレクタを第１の抵抗を介して電源にプルアップすると共に、前記第２のスイッチトランジスタのコレクタを第２の抵抗を介して前記電源にプルアップした。
【００１０】
また、前記第３の高周波回路を周波数変換用のミキサとし、前記第１の高周波回路はＶＨＦ帯のローバンドのテレビジョン信号を増幅するローバンド増幅器とその次段に設けられたローバンド同調回路とを有し、前記第２の高周波回路はＶＨＦ帯のハイバンドのテレビジョン信号を増幅するハイバンド増幅器とその次段に設けられたハイバンド同調回路とを有する。
【００１１】
また、前記ローバンド同調回路を結合用の第１のバラクタダイオードを介して前記平衡入力端子の一方に接続すると共に、前記ハイバンド同調回路を結合用の第２のバラクタダイオードを介して前記平衡入力端子の他方に接続し、前記第１のバラクタダイオードのアノード及び第２のバラクタダイオードのアノードをそれぞれ前記平衡入力端子側に配置し、前記平衡入力端子間を第３の抵抗によって接続し、ローバンド同調回路及び前記ハイバンド同調回路にはそれぞれ同調電圧が印加され同調用バラクタダイオードが設けられ、前記第１及び第２のバラクタダイオードのカソードに前記同調電圧を印加した。
【００１２】
また、前記ミキサを内部に構成すると共に前記平衡入力端子を有する集積回路を設け、前記集積回路内に前記第１及び第２のスイッチトランジスタと前記第１乃至第３の抵抗とを構成した。
【発明の効果】
【００１３】
請求項１の発明によれば、第３の高周波回路を、平衡入力端子を有する平衡回路で構成し、第１の高周波回路を平衡入力端子の一方に結合すると共に、第２の高周波回路を平衡入力端子の他方に結合し、第１の高周波回路から出力される第１の周波数帯の信号を第３の高周波回路に入力するときに平衡入力端子の他方を接地し、第２の高周波回路から出力される第２の周波数帯の信号を第３の高周波回路に入力するときに平衡入力端子の一方を接地したので、各周波数帯の信号の損失を少なくして第３の高周波回路に入力することができる。
【００１４】
また、請求項２の発明によれば、エミッタが接地され、コレクタが平衡入力端子の一方に接続された第１のスイッチトランジスタと、エミッタが接地され、コレクタが平衡入力端子の他方に接続された第２のスイッチトランジスタを設け、第１のスイッチトランジスタのコレクタを第１の抵抗を介して電源にプルアップすると共に、第２のスイッチトランジスタのコレクタを第２の抵抗を介して電源にプルアップしたので、第１及び第２の抵抗の抵抗値を大きくしても平衡入力端子を接地できる。
【００１５】
また、請求項３の発明によれば、第３の高周波回路を周波数変換用のミキサとし、第１の高周波回路はＶＨＦ帯のローバンドのテレビジョン信号を増幅するローバンド増幅器とその次段に設けられたローバンド同調回路とを有し、第２の高周波回路はＶＨＦ帯のハイバンドのテレビジョン信号を増幅するハイバンド増幅器とその次段に設けられたハイバンド同調回路とを有するので、二つのバンドのテレビジョン信号のロスを少なくできるテレビジョンチューナを構成できる。
【００１６】
また、請求項４の発明によれば、ローバンド同調回路を結合用の第１のバラクタダイオードを介して平衡入力端子の一方に接続すると共に、ハイバンド同調回路を結合用の第２のバラクタダイオードを介して平衡入力端子の他方に接続し、第１のバラクタダイオードのアノード及び第２のバラクタダイオードのアノードをそれぞれ平衡入力端子側に配置し、平衡入力端子間を第３の抵抗によって接続し、ローバンド同調回路及びハイバンド同調回路にはそれぞれ同調電圧が印加され同調用バラクタダイオードが設けられ、第１及び第２のバラクタダイオードのカソードに同調電圧を印加したので、
【００１７】
また、請求項５の発明によれば、前記ミキサを内部に構成すると共に前記平衡入力端子を有する集積回路を設け、前記集積回路内に前記第１及び第２のスイッチトランジスタと前記第１乃至第３の抵抗とを構成したので、特に周波数が低い場合の結合が増大して利得低下を防ぐ効果がある。
【発明を実施するための最良の形態】
【００１８】
本発明の受信バンド切替回路を図１に示す。第１の高周波回路１１は、第１の周波数帯の信号、例えば、ＶＨＦ帯のローバンドのテレビジョン信号を増幅するローバンド増幅器１１ａとその次段に接続されたローバンド同調回路１１ｂとを有する。第２の高周波回路１２は、第２の周波数帯の信号、例えば、ＶＨＦ帯のハイバンドのテレビジョン信号を増幅するハイバンド増幅器１２ａとその次段に接続されたハイバンド同調回路１２ｂとを有する。
【００１９】
ローバンド同調回路１１ｂ、ハイバンド同調回路１２ｂにはそれぞれ同調用バラクタダイオードＤ１、Ｄ２が設けられ、それらのカソードに印加される同調電圧Ｖｔによって、各同調回路１１ｂ、１２ｂの同調周波数が受信すべきテレビジョン信号の周波数に対応して変えられる。
【００２０】
集積回路１３内には第３の高周波回路となる周波数変換用の平衡型ミキサ１４が構成される。ミキサ１４は差動接続のトランジスタ１４ａ、１４ｂを有し、トランジスタ１４ａのベースは集積回路１３に設けられた平衡入力端子１３ａ、１３ｂの一方１３ａに結合され、トランジスタ１４ｂのベースは他方の端子１３ｂに結合される。
【００２１】
そして、ローバンド同調回路１１ｂが結合用の第１バラクタダイオード１５を介して一方の端子１３ａに接続され、ハイバンド同調回路１２ｂが結合用の第２のバラクタダイオード１５を介して他方の端子１３ｂに接続される。第１及び第２のバラクタダイオード１５、１６のアノードはそれぞれ一方の端子１３ａ、他方の端子１３ｂに接続される。これによって、第１の高周波回路１１と第２の高周波回路１２は平衡形のミキサに結合される。また、第１及び第２のバラクタダイオード１５、１６のカソードにも同調電圧Ｖｔが印加されている。
【００２２】
集積回路１３内には、端子１３ａにコレクタが接続された第１のスイッチトランジスタ１７と、端子１３にコレクタが接続された第２のスイッチトランジスタ１８とが構成される。各トランジスタ１７、１８のエミッタは接地される。また、第１のスイッチトランジスタ１７のコレクタを電源Ｂにプルアップするための第１の抵抗１９及び第２のスイッチトランジスタ１８のコレクタを電源Ｂにプルアップするための第２の抵抗２０も構成される。これら抵抗１９、２０は電源端子１３ｃに接続される。さらに、平衡入力端子１３ａ、１３ｂ間には第３の抵抗２１も接続される。
【００２３】
第１及び第２の抵抗１９、２０はスイッチトランジスタのスイッチ動作（オン／オフ動作）のために電源電圧を供給するので、その抵抗値は大きくすることができる。また、第３の抵抗２１は第１及び第２のバラクタダイオード１５、１６のアノードに電源電圧を印加するだけで電流は流さないので、その抵抗値も大きくできる。
【００２４】
以上の構成において、ローバンドのテレビジョン信号を受信する場合は、ハイバンド増幅器１２ａは非動作状態となるように、例えば電源の供給が停止される。また、第１のスイッチトランジスタ１７をオフ、第２のスイッチトランジスタ１８をオンとする。
【００２５】
そして、ローバンドのテレビジョン信号はローバンド増幅器１１ａ、ローバンド同調回路１１ｂ、第１のバラクタダイオード１５を通過してミキサ１４の一方のトランジスタ１４ａに入力される。このとき、他方のトランジスタ１４ｂのベースは高周波的に接地されているので、ミキサ１４は不平衡入力型のミキサとして動作する。
【００２６】
この場合において、一方の入力端子１３ａは第１の抵抗１９、第２の抵抗２０を直列に介して接地され、また、第３の抵抗２１を介して接地されるが、これらの抵抗値を大きくすることができるのでローバンドテレビジョン信号のロスを少なくできる。なお、ミキサ１４には、図示しない発振回路（これも集積回路１３内に構成されている。）から局部発振信号が供給されている。その結果、トランジスタ１４ａ、１４ｂのコレクタから中間周波信号が平衡出力される。
【００２７】
一方、ハイバンドのテレビジョン信号を受信する場合は、ローバンドバンド増幅器１１ａは非動作状態となるように、例えば電源の供給が停止される。また、第１のスイッチトランジスタ１７をオン、第２のスイッチトランジスタ１８をオフとする。そして、ハイバンドのテレビジョン信号はハイバンド増幅器１２ａ、ハイバンド同調回路１２ｂ、第２のバラクタダイオード１６を通過してミキサ１４の一方のトランジスタ１４ｂに入力される。
【００２８】
このとき、一方のトランジスタ１４ａのベースは高周波的に接地されているので、ミキサ１４は不平衡入力型のミキサとして動作する。そして、トランジスタ１４ａ、１４ｂのコレクタから中間周波信号が平衡出力される。ハイバンドテレビジョン信号の受信時においても、第１乃至第３の抵抗１９〜２１の抵抗値が大きいので信号ロスは少ない。
【００２９】
なお、ローバンド同調回路１１ｂ、ハイバンド同調回路１２ｂをそれぞれ平衡入力端子１３ａ、１３ｂに結合している第１及び第２のバラクタダイオード１５、１６は同調電圧Ｖｔによって、同調用のバラクタダイオードＤ１、Ｄ２と同様に容量が変化するので、特に周波数が低い場合の結合が増大して利得低下を防ぐ効果がある。
【図面の簡単な説明】
【００３０】
【図１】本発明の受信バンド切替回路の構成を示す回路図である。
【図２】従来の受信バンド切替回路の構成を示す回路図である。
【符号の説明】
【００３１】
１１：第１の高周波回路
１１ａ：ローバンド増幅器
１１ｂ：ローバンド同調回路
１２：第２の高周波回路
１２ａ：ハイバンド増幅器
１２ｂ：ハイバンド同調回路
１３：集積回路
１３ａ、１３ｂ：平衡入力端子
１３ｃ：電源端子
１４：ミキサ（第３の高周波回路）
１４ａ、１４ｂ：トランジスタ
１５：第１のバラクタダイオード
１６：第２のバラクタダイオード
１７：第１のスイッチトランジスタ
１８：第２のスイッチトランジスタ
１９：第１の抵抗
２０：第２の抵抗
２１：第３の抵抗
【図１】
2006060567.tif 000003
【図２】
2006060567.tif 000004